(57)【要約】【課題】土木・建設機械用キャブのフロアマットは敷設したまま散水清掃する関係上、従来、ゴムや塩化ビニール等の柔軟材の周縁部をある程度の高さに直立状態に保持させるのに周縁部を肉厚の突縁部に成型していたために成形用金型が大型化し、フロアマットのコスト高の要因になっていた。また、洗浄時汚水が溢れキャブフロアの腐食の原因にもなっていたのでかかる課題を解決すること。【解決手段】キャブ内のフロア及び該フロアからのキャブドアーを除く立ち上がり部を、ゴム又は軟質合成樹脂製シートで被覆し、該シートを固定具により前記フロアからの立上がり部に固着させることにより解決できた。【選択図】　　図１
2004017947.tif 000002
【特許請求の範囲】
【請求項１】
土木・建設機械用キャブ内のフロア及び該フロアからのキャブドアーを除く立ち上がり部を、ゴム又は軟質合成樹脂製シートで被覆し、該シートを固定具により前記フロアからの立上がり部に固着したことを特徴とする土木・建設機械用キャブのフロアマット。
【請求項２】
キャブフロアからの立上がり部はキャブドアーを除くキャブ内周面部のうち左側面部、右側面部、前部、後部のうちの何れか１ヶ所以上であることを特徴とする請求項１記載の土木・建設機械用キャブのフロアマット。
【請求項３】
キャブフロアからの後部立上がり部は運転席の前面部或いは基台空調機器用架台の前面部としたことを特徴とする請求項２記載の土木・建設機械用キャブのフロアマット。
【請求項４】
固定具は木ネジ、ボルト、クリップ、クランプ、面ファスナーのうちの何れか１つ又はこれらを組合せて使用することを特徴とする請求項１ないし３記載の土木・建設機械用キャブのフロアマット。
【発明の詳細な説明】
【０００１】
【発明の属する技術分野】
本発明は油圧ショベル等の土木・建設機械用キャブのフロアマットに関する。
【０００２】
【従来の技術】
図４は公知の油圧ショベルのキャブＣの斜視図である。キャブＣはキャブボックス２、キャブフロア３、キャブドア４から構成されており、キャブボックス２内の略中央部に運転席５が設置されている。
【０００３】
油圧ショベル等土木・建設機械のオペレータは靴底に泥土を付着したままキャブ室内へ乗車するのでキャブ室内特にキャブフロア３が泥土で汚されるため従来から運転席周辺のキャブフロア３上面にフロアマット１０が敷設されている。
【０００４】
また、泥土で汚されたフロアマットをキャブフロアに敷設したままの状態で散水によって清掃可能にしたフロアマットは特開２０００−１７６９０号公報、特開２００１−３２２４７２号公報に開示されている。
【０００５】
図５は特開２００１−３２２４７２号公報に開示されたフロアマット１０の説明図、図６はキャブ右側部における上記フロアマット１０を敷設した状態の断面図、図７及び図８は上記フロアマット１０をキャブ内に敷設した状態および散水時の説明図である。
【０００６】
上記公知のフロアマット１０はフロアマットをキャブフロア３へ敷設したときに、キャブドア４側を除いた３周に突縁を設け、運転席５の基台６の床カバー７と係合する側の突縁１０ｂとキャブドアーと反対側の突縁１０ｃは、直立可能となるように肉厚に形成されており、キャブ前方側に位置する突縁１０ｄは薄肉で断面がへ字状に形成された構造とされている。なお、図中８はリアカバー、９はスタンドカバー、１１はサスペンションである。
【０００７】
フロアマット１０の清掃は図８に示すように運転席下方の床カバー７へ散水して運転席周辺を清掃するとともに床カバー７からの流下水はフロアマット１０を清掃し、或いはフロアマット上へ直接散水し、汚水はキャブドアー側の突縁部を欠如した箇所からキャブ外へ排出されてフロアマットが水洗清掃されている。
【０００８】
しかしながら、従来のフロアマットはゴムや塩化ビニール等の柔軟材の成形品であるため、フロアマット基板１０ａ周縁部に設けた突縁１０ｂ、１０ｃをある程度の高さに直立状態に保持させるのには突縁部を肉厚に成型していた。
周縁部に肉厚で高さのある突縁部を有するフロアマットの成形には金型が大型化し、金型コストが高価となり従ってフロアマットのコスト高の要因になっていた。また、フロアマットの洗浄に際し、洗浄汚水がフロアマットの外周縁からこぼれてフロアマットとキャブフロアの間に漏洩し、キャブフロアの汚損さらには腐食の原因にもなっていた。
【０００９】
【発明が解決しようとする課題】
フロアマット成形用の金型コストを低減し、安価なフロアマットを提供するとともに、フロアマットをキャブ内に密着固定させ、フロアマット洗浄水のキャブフロアへの漏洩を防止し、さらにはキャブ内の機器の保護を目的とする。
【００１０】
【課題を解決するための手段】
土木・建設機械用キャブ内のフロア及び該フロアからのキャブドアーを除く立ち上がり部を、ゴム又は軟質合成樹脂製シートで被覆し、該シートを固定具により前記フロアからの立ち上がり部に固着したことを特徴とする。
【００１１】
【発明の実施の形態】
本発明にかかるフロアマットの実施形態について図１ないし図３を参照して説明する。なお、図中同一部品には同一符号を付し説明の重複を省略する。
図１は本発明の実施形態の説明図である。
【００１２】
本発明のフロアマット１は図１に示すように、キャブフロア３が長方形の場合は長方形の基板１ａの３周から基板と略同一厚みか若干肉薄の側縁部１ｂ、１ｃ、１ｄがそれぞれ突設され、ゴム又は軟質合成樹脂材で一体成形ないしは複数部材を接合して形成されている。
【００１３】
上記のフロアマット１はフロアマットの側縁部を有しない側をキャブドア側に位置させ、運転席５側の側縁部１ｂをキャブフロアからの立上がり部である基台６の前面部に固着させ、キャブの前方側に位置する側縁部１ｄをキャブフロア前方段上に載置させており、外側縁部１ｄの略中央部に連接して操作レバーの貫通口を有する突設部１ｄ’が基板１ａから突設形成されている。また、キャブドアと反対側に位置する側縁部１ｃは床面からの立上がり部に固着させている。
なお、運転席５側の側縁部１ｂにはキャブドア側のキャブパネル内壁へ固着される突設部１ｂ’が突設されている。
【００１４】
図２（ａ）、（ｂ）、（ｃ）、（ｄ）、（ｅ）は前記側縁部１ｃと前記立上がり部との固着手段の詳細説明図である。（ａ）図ではキャブパネル１２及びダクト１３を被覆しているカバー１４に側縁部１ｃをクランプ１５着けしている例である。（ｂ）図の例はダクト１３の上部に側縁部１ｃをクランプ１５着けし、側縁部１ｃの先端とカバー１４の下端部を当接させることによりカバー１４のスカート部が節約されている。
【００１５】
（ｃ）図の例は側縁部１ｃでダクト１３を被覆し、側縁部１ｃの先端部をキャブパネル１２へネジ１６着けした例である。（ｄ）、（ｅ）図は側縁部の固着手段としてブラケット１７を使用した例である。
なお、図示していないがフロアマット側縁部の固着手段として上記の固着手段に限らずクリップ、マジックテープ（登録商標）と呼ばれる面ファスナー等が採用される。
【００１６】
図３は本発明の他の実施形態の説明図である。この実施形態はキャブ後部に設置している空調機器用架台１６の前面部にフロアマットの側縁部１ｂが固着されており、キャブドア側のキャブパネル下部に側縁部１ｂ’が固着されている。
さらに、運転席基台６の周壁を被覆するするための被覆部１ｅが基板１ａから突設されており、その他の構造は図１に示す実施形態と同様に形成されている。
【００１７】
上記フロアマットの側縁部１ｂ、１ｃ、１ｄの各側縁部の隣接箇所に切り込み１ｆ、１ｆを設けることにより床面からの立上がり部への密着性が向上される。また、フロアマットのキャブドア側に位置するキャブパネル及びキャブフロアと接触している箇所をシール材でシールすることによりフロアマットとフロア間に泥土や洗浄水が侵入するのを確実に防止できる。
【００１８】
上記の例はキャブフロアの形状が長方形の場合について説明したが、キャブフロアが円形又は半円形の場合は、キャブフロアの形状にあわせてフロアマットの基板１ａは円形又は半円形状のものが採用される。
【００１９】
【発明の効果】
本発明は、フロアマットの成形に際し、成形用金型の厚みを従来の物に比べて薄くできるので金型コストを安価にでき、フロアマット自体のコストを低減できる。
さらに、フロアマットはキャブ内に固着されているため、ずれてキャブフロアとの間に隙間を発生させることがないのでフロアマットに付着した泥土や洗浄水が前記隙間に侵入し、キャブフロアの汚損さらには腐食防止に効果を奏する。
【図面の簡単な説明】
【図１】本発明にかかるフロアマットの実施形態の説明図。
【図２】フロアマットの固着手段の詳細説明図。
【図３】本発明にかかるフロアマットの他の実施形態を示す説明図。
【図４】公知のキャブの説明図。
【図５】公知のフロアマットの説明図で（ａ）図は斜視図、（ｂ）図は（ａ）図におけるＢ−Ｂ断面図。
【図６】公知のフロアマットの敷設状態を示す詳細説明図。
【図７】公知のフロアマットの敷設状態を示す説明図。
【図８】公知のフロアマットの水洗作業の説明図。
【符号の説明】
１　　　　　フロアマット　　　　　９　　　　　スタンドカバー
１ａ　　　　フロアマット基板　　１０　　　　　フロマット
１ｂ　　　　フロアマット側縁部　１０ａ　　　　フロアマット基板
１ｃ　　　　フロアマット側縁部　１０ｂ　　　　突縁
１ｄ　　　　フロアマット側縁部　１０ｃ　　　　突縁
１ｅ　　　　被覆部　　　　　　　１０ｄ　　　　突縁
１ｆ　　　　切り込み　　　　　　１１　　　　　サスペンション
２　　　　　キャブボックス　　　１２　　　　　キャブパネル
３　　　　　キャブフロア　　　　１３　　　　　　ダクト
４　　　　　キャブドアー　　　　１４　　　　　　カバー
５　　　　　運転席　　　　　　　１５　　　　　　クランプ
６　　　　　基台　　　　　　　　１６　　　　　　ネジ
７　　　　　床カバー　　　　　　１７　　　　　ブラケット
８　　　　　リアカバー　　　　　　Ｃ　　　　　キャブ
【図１】
2004017947.tif 000003
【図２】
2004017947.tif 000004
【図３】
2004017947.tif 000005
【図４】
2004017947.tif 000006
【図５】
2004017947.tif 000007
【図６】
2004017947.tif 000008
【図７】
2004017947.tif 000009
【図８】
2004017947.tif 000010